(57)【要約】【課題】ヘッドレスト表皮内で、支持ステーをヘッドレストコアに対し簡易かつ迅速に固定する。【解決手段】取付手段Ｈにおける２本の支持ステーＳ,Ｓは、ヘッドレストコアＢに横方向に離間して設けたステー固定手段Ｖ,Ｖに上部が夫々固定され、ヘッドレスト表皮Ｃの下面に開設したステー挿通孔６７,６７を介して外部に延出する。各ステー固定手段Ｖは、ヘッドレストコアＢとの間で支持ステーＳの径方向の移動を規制する保持部５０と、保持部５０に挿通した該支持ステーＳの周方向への回転を規制すると共に該保持部５０からの該支持ステーＳの抜脱を規制する位置決め部４０と、支持ステーＳの上端に当接する当接部３０とを備える。各支持ステーＳは、ステー挿通孔６７に上端から挿通した後、ステー挿通孔６７からの挿入経路Ｌ上に設けられたステー固定手段Ｖに上端から挿通して、ヘッドレストコアＢに固定される。【選択図】図５
2010269089.tif 000002
【特許請求の範囲】
【請求項１】
袋状のヘッドレスト表皮と、前記ヘッドレスト表皮の内部に設けられるヘッドレストコアと、前記ヘッドレスト表皮と前記ヘッドレストコアとの間に介在する緩衝材と、前記ヘッドレストコアに設けた固定手段により該ヘッドレストコアに固定される取付手段とを備えるヘッドレストにおいて、
前記取付手段は、前記ヘッドレストコアに横方向に離間して設けた前記固定手段に上部が夫々固定されて、前記ヘッドレスト表皮の下面に開設したステー挿通孔を介して該ヘッドレスト表皮の外部に延出する２本の棒状の支持ステーからなり、
前記各固定手段は、
前記ステー挿通孔からの前記支持ステーの挿入経路上に設けられ、前記ヘッドレストコアとの間で該支持ステーの径方向の移動を規制する保持部と、
前記保持部または前記ヘッドレストコアに設けられ、前記支持ステーに設けた係合部に係合して、保持部に挿通した該支持ステーの周方向への回転を規制すると共に該保持部からの該支持ステーの抜脱を規制する位置決め部と、
前記ヘッドレストコアに設けられ、前記係合部と前記位置決め部とが係合したもとで前記支持ステーの上端に当接する当接部とを備える
ことを特徴とするヘッドレスト。
【請求項２】
前記係合部は、前記支持ステーの外周部に開設された穴部であり、
前記位置決め部は、前記係合部に係合した係合位置および該係合部から退避した退避位置の間で変位可能な突状部である請求項１記載のヘッドレスト。
【請求項３】
前記当接部は、前記支持ステーの上端に当接する当接片部と、前記当接片部に一体的に形成されて、該当接片部に当接した支持ステーにおける上端近傍部分の径方向の移動を規制する環状部とを備える請求項１または２記載のヘッドレスト。
【請求項４】
前記保持部は、前記支持ステーの挿入方向に沿って延在して、該保持部に挿通される該支持ステーの外面部に接触する案内壁部を備える請求項１〜３の何れか一項に記載のヘッドレスト。
【請求項５】
前記位置決め部は、支持ステーの前記挿入経路上において、前記当接部と前記保持部との間に設けられる請求項１〜４の何れか一項に記載のヘッドレスト。
【請求項６】
袋状のヘッドレスト表皮の下部に設けた表皮蓋部を捲ることで形成された開口を介して、ヘッドレストコアを該ヘッドレスト表皮の内部に収容し、
前記表皮蓋部を元に戻し、該表皮蓋部に開設したステー挿通孔に、棒状の支持ステーをその上端から挿通させ、
前記ヘッドレストコアにおいて前記ステー挿通孔からの前記支持ステーの挿入経路上に設けられた固定手段に、該支持ステーをその上端から挿通させて固定し、
前記ヘッドレスト表皮と前記ヘッドレストコアとの間で緩衝材を成形する
ことを特徴とするヘッドレストの製造方法。
【発明の詳細な説明】
【技術分野】
【０００１】
本発明は、ヘッドレストおよびその製造方法に関し、更に詳細には、袋状のヘッドレスト表皮と、ヘッドレスト表皮の内部に設けられるヘッドレストコアと、ヘッドレスト表皮とヘッドレストコアとの間に介在する緩衝材と、ヘッドレストコアに設けた固定手段により該ヘッドレストコアに固定される取付手段とを備えるヘッドレストと、このヘッドレストの製造方法に関するものである。
【背景技術】
【０００２】
車両の乗員室内に設置される車両シートの背もたれ上方には、乗員の頭部や頸部を保護するヘッドレストが標準装備されている。図８に示すように、前記ヘッドレストＨＲ１は、ヘッドレスト表皮Ｃ１と、ヘッドレストコアＢ１と、緩衝材Ｕ１と、支持ステーＳ１とから基本的に構成されている。ヘッドレスト表皮Ｃ１は、合成樹脂、織布、編布または本革等を材質とした袋状に形成され、表皮下部１００には、ヘッドレストコアＢ１を挿入するための開口１０６が形成されると共に(図９参照)、支持ステーＳ１を挿通するステー挿通孔１０７が形成されている。前記ヘッドレストコアＢ１は、ポリエチレン等の合成樹脂を材質とする成形部材であり、前記支持ステーＳ１を固定する複数の嵌合爪部１１０,１１１が形成されている。前記支持ステーＳ１は、パイプ材を２箇所で屈曲成形した略「Ｕ」字形とされ、背もたれに挿通支持される縦支持部１２０,１２０と、両縦支持部１２０,１２０間に位置する横連接部１２１とからなる。また前記緩衝材Ｕ１は、支持ステーＳ１を固定したヘッドレストコアＢ１をヘッドレスト表皮Ｃ１内にセットしたもとで、ヘッドレストコアＢ１とヘッドレスト表皮Ｃ１との間でウレタン原料等を発泡成形したものである。このようなヘッドレストおよびその製造方法に関しては、例えば特許文献１に開示されている。
【特許文献１】特開２００５−１７８１９６号公報
【発明の開示】
【発明が解決しようとする課題】
【０００３】
ところで前記ヘッドレストＨＲ１は、図８に示すように、表皮下部１００にスリット１０１を形成し、該表皮下部１００を複数の表皮蓋部１０２,１０３,１０４,１０５に分割して、各表皮蓋部１０２,１０３,１０４,１０５を外方へ捲ることで前記開口１０６を形成するようになっている(図９)。この開口１０６は、ヘッドレストＨＲ１の横方向に長く開口形成されており、該開口１０６におけるヘッドレストＨＲ１の前後開口幅Ｄ１は、ヘッドレストコアＢ１の高さ寸法Ｄ２より小さくなっている。このため、開口１０６を介してヘッドレスト表皮Ｃ１内にヘッドレストコアＢ１を収容する場合には、該ヘッドレストコアＢ１を上部から挿入しなければ収容が困難である。しかし、支持ステーＳ１用のステー挿通孔１０７,１０７は、図８に示すように、ヘッドレストＨＲ１の横方向に延在する表皮蓋部１０３に形成されている。このため、ヘッドレストコアＢ１に支持ステーＳ１を予め固定して、各ステー挿通孔１０７,１０７に該支持ステーＳ１の各縦支持部１２０,１２０を挿通させたもとで、該ヘッドレストコアＢ１をヘッドレスト表皮Ｃ１内へ収容しようとすると、ヘッドレストコアＢ１が開口１０６を通過不能であり、該ヘッドレストコアＢ１をヘッドレスト表皮Ｃ１内へ収容することができない。
【０００４】
このため従来は、図９に示すように、ヘッドレストコアＢ１だけを先にヘッドレスト表皮Ｃ１内へ収容する一方、支持ステーＳ１の各縦支持部１２０,１２０をステー挿通孔１０７,１０７に表皮蓋部１０３の裏側から挿通したもとで、ヘッドレスト表皮Ｃ１内で支持ステーＳ１をヘッドレストコアＢ１に固定する方法が採られている。しかし、ヘッドレスト表皮Ｃ１内でのヘッドレストコアＢ１に対する支持ステーＳ１の固定作業は、ヘッドレストコアＢ１および支持ステーＳ１を直接目視することができないので、手探りで支持ステーＳ１の位置決めするしかない。特に、嵌合爪部１１０がヘッドレスト表皮Ｃ１内の奥側に位置しているため、該嵌合爪部１１０と支持ステーＳの横連結部１２１との嵌合作業を行ない難い。また、嵌合爪部１１０に対して横連結部１２１を嵌合した際に、ヘッドレストコアＢ１に対する支持ステーＳ１の左右方向の位置決めが不適切であると、該支持ステーＳ１の各縦支持部１２０,１２０と各嵌合爪部１１１,１１１とが整合しなくなり、支持ステーＳ１の位置決め作業が更に伴うので、該支持ステーＳ１の固定作業は一段と面倒になっていた。すなわち、ヘッドレストコアＢ１に対する支持ステーＳ１の固定作業は、手探りによる勘に頼るものであって、迅速かつ確実に作業を行ない難い課題を内在していた。更に、従来の前記ヘッドレストＨＲ１は、金属製の前記支持ステーＳ１が横連結部１２１を有しているため、重量が嵩んでしまう課題もあった。
【０００５】
従って本発明では、ヘッドレスト表皮内でのヘッドレストコアに対する支持ステーの固定作業を簡易かつ迅速に行ない得ると共に、軽量化を図ったヘッドレストと、このヘッドレストの製造方法を提供することを目的とする。
【課題を解決するための手段】
【０００６】
前記課題を解決し、所期の目的を達成するため、本願請求項１に記載の発明は、
袋状のヘッドレスト表皮と、前記ヘッドレスト表皮の内部に設けられるヘッドレストコアと、前記ヘッドレスト表皮と前記ヘッドレストコアとの間に介在する緩衝材と、前記ヘッドレストコアに設けた固定手段により該ヘッドレストコアに固定される取付手段とを備えるヘッドレストにおいて、
前記取付手段は、前記ヘッドレストコアに横方向に離間して設けた前記固定手段に上部が夫々固定されて、前記ヘッドレスト表皮の下面に開設したステー挿通孔を介して該ヘッドレスト表皮の外部に延出する２本の棒状の支持ステーからなり、
前記各固定手段は、
前記ステー挿通孔からの前記支持ステーの挿入経路上に設けられ、前記ヘッドレストコアとの間で該支持ステーの径方向の移動を規制する保持部と、
前記保持部または前記ヘッドレストコアに設けられ、前記支持ステーに設けた係合部に係合して、保持部に挿通した該支持ステーの周方向への回転を規制すると共に該保持部からの該支持ステーの抜脱を規制する位置決め部と、
前記ヘッドレストコアに設けられ、前記係合部と前記位置決め部とが係合したもとで前記支持ステーの上端に当接する当接部とを備えることを特徴とする。
【０００７】
従って、請求項１に係る発明によれば、棒状の支持ステーを、ヘッドレスト表皮に開設したステー挿通孔に挿通させたもとで、該ヘッドレスト表皮に収容したヘッドレストコアに設けた固定手段に対して上端から軸方向に沿って挿通させることで、ヘッドレストコアに対する該支持ステーの固定が完了し、該支持ステーの固定作業を簡易かつ迅速に行なうことを可能とする。そして、固定手段により固定された支持ステーは、保持部により径方向の移動が規制され、係合部と位置決め部との係合により周方向への回転が規制されると共に軸方向への抜脱が規制され、当接部により軸方向に位置決めされ、ヘッドレストコアに対して該支持ステーが適切な位置で固定される。また、各支持ステーを連設する部分がないので、ヘッドレストの軽量化も図られる。
【０００８】
請求項２に記載の発明は、前記係合部は、前記支持ステーの外周部に開設された穴部であり、前記位置決め部は、前記係合部に係合した係合位置および該係合部から退避した退避位置の間で変位可能な突状部であることを要旨とする。
従って、請求項２に係る発明によれば、位置決め部は、保持部に挿通した支持ステーが当接すると退避位置へ変位するので、該支持ステーの挿入経路上に沿った移動を許容する。また位置決め部は、係合部と整合すると係合位置に変位して該係合部と係合し、支持ステーの周方向への回転を規制すると共に、該支持ステーの保持部からの抜脱を規制する。
【０００９】
請求項３に記載の発明は、前記当接部は、前記支持ステーの上端に当接する当接片部と、前記当接片部に一体的に形成されて、該当接片部に当接した支持ステーにおける上端近傍部分の径方向の移動を規制する環状部とを備えることを要旨とする。
従って、請求項３に係る発明によれば、当接部の当接片部により支持ステーの軸方向の位置決めが図られ、該当接部の環状部により該支持ステーにおける上端近傍部分の径方向の移動が規制され、該支持ステーの位置決めが図られる。
【００１０】
請求項４に記載の発明は、前記保持部は、前記支持ステーの挿入方向に沿って延在して、該保持部に挿通される該支持ステーの外面部に接触する案内壁部を備えることを要旨とする。
従って、請求項４に係る発明によれば、支持ステーが案内壁部に接触しながら保持部に挿通されるので、該支持ステーの挿入方向が適切となり、ヘッドレストコアに対して支持ステーを簡単かつ迅速に固定し得る。
【００１１】
請求項５に記載の発明は、前記位置決め部は、支持ステーの前記挿入経路上において、前記当接部と前記保持部との間に設けられることを要旨とする。
従って、請求項５に係る発明によれば、支持ステーを保持部に挿通させて当接部に当接させることで、該支持ステーの係合部と位置決め部との係合を図り得る。
【００１２】
請求項６に記載の発明は、
袋状のヘッドレスト表皮の下部に設けた表皮蓋部を捲ることで形成された開口を介して、ヘッドレストコアを該ヘッドレスト表皮の内部に収容し、
前記表皮蓋部を元に戻し、該表皮蓋部に開設したステー挿通孔に、棒状の支持ステーをその上端から挿通させ、
前記ヘッドレストコアにおいて前記ステー挿通孔からの前記支持ステーの挿入経路上に設けられた固定手段に、該支持ステーをその上端から挿通させて固定し、
前記ヘッドレスト表皮と前記ヘッドレストコアとの間で緩衝材を成形することを特徴とする。
【００１３】
従って、請求項６に係る発明によれば、ヘッドレスト表皮に収容したヘッドレストコアの固定手段が、該ヘッドレスト表皮の表皮蓋部に設けたステー挿通孔に対して支持ステーの挿入経路上で対向しているので、支持ステーは、ステー挿通孔に挿通させた後に、固定手段へ容易に挿入して固定される。これにより、ヘッドレストコアに対する各支持ステーの固定作業を、簡易かつ迅速に行ない得る。
【発明の効果】
【００１４】
本発明に係るヘッドレストによれば、ヘッドレスト表皮内に収容したヘッドレストコアと支持ステーとの固定作業を、簡易かつ迅速に行なうことを可能とする。また、ヘッドレストの軽量化も図られる。
また、別の発明に係るヘッドレストの製造方法によれば、ヘッドレスト表皮に収容したヘッドレストコアと支持ステーとの固定作業を簡易かつ迅速に行ない得る。
【図面の簡単な説明】
【００１５】
【図１】実施例のヘッドレストを透視状態で示す斜視図である。
【図２】ヘッドレストコアに設けたステー固定手段の構成を示す斜視図である。
【図３】図２のIII−III線断面図である。
【図４】ヘッドレスト表皮にヘッドレストコアを収容する状態を示す説明斜視図である。
【図５】各支持ステーを、ステー挿通孔に挿通した後に、ヘッドレスト表皮に収容したヘッドレストコアに固定する状態を示す説明斜視図である。
【図６】発泡成形型により、ヘッドレスト表皮とヘッドレストコアとの間で緩衝材を発泡成形した状態を示す断面図である。
【図７】(ａ)は、支持ステーに設けた係合部の変更例を示す支持ステーの部分斜視図であり、(ｂ)は、ヘッドレストコアに設けた当接部および保持部の変更例を示すヘッドレストコアの部分斜視図であり、(ｃ)は、位置決め部を保持部に設けた変更例を示す部分斜視図である。
【図８】従来のヘッドレストを透視状態で示す斜視図である。
【図９】ヘッドレスト表皮に収容したヘッドレストコアに、Ｕ字形の支持ステーを固定する固定作業を示す説明斜視図である。
【発明を実施するための形態】
【００１６】
次に、本発明に係るヘッドレストおよびその製造方法につき、好適な実施例を挙げて、添付図面を参照しながら以下説明する。なお実施例では、背もたれを略垂直に立てた車両シートの通常使用状態において、該背もたれに装着したヘッドレストにおける車両前後方向をヘッドレストの「前後方向」、車両左右方向をヘッドレストの「左右方向」、車両上下方向をヘッドレストの「上下方向」と指称する。すなわち、乗員頭部を当て受ける側をヘッドレストＨＲ１の前側とする。
【００１７】
実施例のヘッドレストＨＲは、ヘッドレスト表皮Ｃと、ヘッドレスト表皮Ｃの内部に設けられるヘッドレストコアＢと、ヘッドレスト表皮ＣとヘッドレストコアＢとの間に介在する緩衝材Ｕと、ヘッドレストコアＢに設けたステー固定手段(固定手段)Ｖにより該ヘッドレストコアＢに固定される取付手段Ｈとを備える。そして、実施例のヘッドレストＨＲは、車両シート(図示せず)を構成する背もたれの上面に配設された配設されたヘッドレスト支持部に対し、取付手段Ｈを上方から差込むことで該背もたれの上部に装着される。
【００１８】
取付手段Ｈは、ヘッドレストコアＢに横方向に離間して設けた前記ステー固定手段Ｖ,Ｖに上部が夫々固定されて、ヘッドレスト表皮Ｃの表皮下部６０に開設したステー挿通孔６７,６７を介して該ヘッドレスト表皮Ｃの外部に延出する２本の棒状の支持ステーＳ,Ｓからなる。すなわち、実施例のヘッドレストＨＲは、左右に離間する別体の２本の支持ステーＳ,Ｓを備えている。各支持ステーＳ,Ｓは、基本的に同一形状に形成されており、所要長に切断加工したスチール製の丸パイプ材を、その長手方向における略中間部分で屈曲加工すると共に、外周部をメッキ処理したものである。そして各支持ステーＳ,Ｓは、中間屈曲部１０を境として該中間屈曲部１０より上部が、ヘッドレストコアＢに固定されてヘッドレストＨＲ内に収容される取付部１１とされ、中間屈曲部１０より下部が、ヘッドレストＨＲの本体から下方へ延出して背もたれのヘッドレスト支持部に挿入される支持部１２とされる。
【００１９】
各支持ステーＳ,Ｓの支持部１２には、図１に示すように、車両シートの背もたれに設けた高さ調整手段に係止する４個の切欠き１３が、該支持部１２の軸方向へ所要間隔毎に形成されている。また、図３および図５に示すように、各支持ステーＳ,Ｓの取付部１１における軸方向中間部分において、該支持ステーＳの屈曲内周部位には、径方向へ凹設された係合部１４が開設されている。この係合部１４は、支持ステーＳの外周面から内部空間へ貫通した貫通孔(穴部)１５である。この貫通孔１５には、後述するように、支持ステーＳをヘッドレストコアＢに固定した際に、該ヘッドレストコアＢに設けた位置決め部４０をなす突ピン(突状部)４１が突入係合して、当該支持ステーＳの軸方向への抜脱を規制して抜け止めを図るようになっている。また、貫通孔１５に突ピン４１が係合することで、支持ステーＳの周方向(軸心回り)の位置決めが図られ、周方向への回転も規制される。
【００２０】
ヘッドレストコアＢは、図２〜図５に示すように、ポリエチレンやポリプロピレン等の合成樹脂素材からインジェクション成形され、前方へ開口した凹凸形状の一体成形部材である。ヘッドレストコアＢの後面左側および後面右側は、上下方向へ延在する平坦壁部２１,２１が設けられている。そして、左右の各平担壁部２１,２１には、各々の支持ステーＳ,ＳをヘッドレストコアＢに固定するステー固定手段(固定手段)Ｖ,Ｖが、ヘッドレストコアＢと一体的に形成されている。
【００２１】
前記左右の各ステー固定手段Ｖ,Ｖは、同一構造となっており、ステー挿通孔６７からの支持ステーＳの挿入経路Ｌ上に設けられた保持部５０と、ヘッドレストコアＢに設けられて前記貫通孔１５に係合する位置決め部４０と、ヘッドレストコアＢに設けた当接部３０とを備えている。これら保持部５０、位置決め部４０および当接部３０は、図２に示すように、上下方向において挿入経路Ｌに沿って一直線に配置されている。従って、支持ステーＳの取付部１１を、ヘッドレストコアＢの下方から挿入経路Ｌに沿って挿入することで、該支持ステーＳがヘッドレストコアＢに固定されるよう構成されている。
【００２２】
当接部３０は、図１および図２に示すように、ヘッドレストコアＢの平坦壁部２１から後方へ立設され、前記挿入経路Ｌと交差する当接片部３１を備えている。この当接片部３１には、前記挿入経路Ｌに沿って支持ステーＳの取付部１１を挿通させた際に、該支持ステーＳの上端１６が下方から当接する。すなわち当接片部３１は、ヘッドレストコアＢに対する支持ステーＳの上下方向の位置決めを図るためのものである。なお、当接片部３１の平坦壁部２１からの突出高さは、図２に示すように、支持ステーＳの取付部１１の外径と同一とされ、該支持ステーＳの上端１６に形成された開口部が該当接片部３１で覆蓋されるようになっている。
【００２３】
また当接部３０には、当接片部３１の下側に、ヘッドレストコアＢの後方へトンネル形状に突出した環状部３２が、該当接部３０と一体的に形成されている。この環状部３２は、挿入経路Ｌと直交する方向での断面形状が略「Ｕ」字形となっており、支持ステーＳの取付部１１を挟んだ左右両側でヘッドレストコアＢに連設されている。そして、環状部３２の下側は、支持ステーＳの取付部１１が挿入可能なステー挿入口が形成されている。従って環状部３２は、図１および図３に示すように、支持ステーＳの取付部１１における外周面において、ヘッドレストコアＢの平坦壁部２１側と反対側を指向する該外周面の略半周部分に亘って接触し、該支持ステーＳにおける上端近傍部分を覆うようになる。すなわち環状部３２は、支持ステーＳにおける取付部１１の上端近傍部分に左右方向および後方から当接し、該上端近傍部分がヘッドレストコアＢに対して径方向(左右方向および後方(ヘッドレストコアＢの平坦壁部２１から離間する方向))へ変位することを規制する。
【００２４】
前記平坦壁部２１において、挿入経路Ｌにおける前記当接部３０の下方には、略「Ｕ」字形のスリット４２が形成されている。従って、スリット４２で囲まれた内側部分は、上部が平坦壁部２１の一部である舌片部４３となっており、該舌片部４３は、スリット４２の両端を結ぶ部分を中心として弾性変形が可能となっている。そして、前記舌片部４３の下端側には、ヘッドレストコアＢの後方へ突出した前記突ピン４１が形成されている。この突ピン４１は、舌片部４３の非変形時には平坦壁部２１から後方(挿入経路Ｌ方向と交差する方向)へ突出した係止位置に保持され、該舌片部４３が前方へ弾性変形することにより平坦壁部２１から退避した退避位置まで変位可能となっている。従って、突ピン４１が係合位置に保持されて貫通孔１５に係合することで、保持部５０に挿通した支持ステーＳの周方向の回転が規制されると共に、保持部５０からの支持ステーＳの抜脱が規制される。
【００２５】
前記平坦壁部２１において、挿入経路Ｌにおける前記突ピン４１の下側には、後方へトンネル形状に突出して前記保持部５０をなす環状壁部(案内壁部)５１が、ヘッドレストコアＢと一体的に形成されている。この環状壁部５１は、挿入経路Ｌと直交する方向での断面形状が略「Ｕ」字形をなし、支持ステーＳの取付部１１の左右両側でヘッドレストコアＢに連設されていると共に、支持ステーＳの前記挿入経路Ｌ(支持ステーＳの挿入方向)に沿って延在している。そして、環状壁部５１の下側および上側にはステー挿通口が形成されていて、支持ステーＳの取付部１１が前記挿入経路Ｌに沿って挿通可能となっている。従って環状壁部５１は、図１、図３および図５に示すように、挿入経路Ｌに沿って押し込まれる支持ステーＳが接触して該支持ステーＳの挿入方向を案内をする。また環状壁部５１は、挿通された支持ステーＳの取付部１１における外周面において、ヘッドレストコアＢの平坦壁部２１側と反対側を指向する該外周面の略半周部分に亘って当接する。すなわち環状壁部５１は、支持ステーＳにおける取付部１１の屈曲部分に近接した部分に左右方向および後方から当接し、該取付部１１が径方向(左右方向および後方(ヘッドレストコアＢの平坦壁部２１から離間する方向))へ移動することを規制する。なお、環状壁部５１の下端は、図２および図３に示すように、ヘッドレストコアＢの下縁部に臨んでおり、ヘッドレスト表皮Ｃの表皮下部６０に開設した前記ステー挿通孔６７と該環状壁部５１の開口とは、前記挿入経路Ｌの方向で一致している。
【００２６】
ヘッドレスト表皮Ｃは、図８に示す従来のヘッドレストＨＲ１におけるヘッドレスト表皮Ｃ１と基本的に同じものである。このヘッドレスト表皮Ｃは、車両シートの背もたれに使用される表皮と同一素材であって、例えば合成皮革、織布、織布または本革等を材質とし、所要形状に裁断された単一または複数の表皮片を縫合して袋状に形成されている。そして、ヘッドレストＨＲが背もたれに装着された際に下側となる表皮下部６０には、図１に示すように、左右方向へ延在する両「Ｙ」字形のスリット６１が形成されている。これにより表皮下部６０は、左右方向へ延在して前後方向で対向する横長の第１表皮蓋部６２および第２表皮蓋部６３と、左側および右側に位置して左右方向で対向する三角形状の第３表皮蓋部６４および第４表皮蓋部６５との４枚の表皮蓋部に分割されている。従って、図４に示すように、各表皮蓋部６２,６３,６４,６５を外方へ捲ることで、ヘッドレスト表皮Ｃの下部に、ヘッドレストコアＢを収容するための開口６６が画成される。また、表皮下部６０の後側に位置して左右に延在する第２表皮蓋部６３に、前記各支持ステーＳ,Ｓが挿通する前記ステー挿通孔６７,６７が形成されている。
【００２７】
緩衝材Ｕは、ウレタンフォーム等の発泡体であり、適度の弾力性および柔軟性を有している。この緩衝材Ｕは、図６に示した発泡成形型８０を使用して、ヘッドレスト表皮ＣとヘッドレストコアＢとの間に注入した発泡原料を発泡させて成形したものである。
【００２８】
(製造方法)
次に、前述のように構成された実施例に係るヘッドレストＨＲの製造方法について、図４〜図６を引用して説明する。
【００２９】
先ず、図４に示すように、所要形状の袋状に形成された前記ヘッドレスト表皮Ｃ内に、所要形状にインジェクション成形された前記ヘッドレストコアＢを収容する。すなわち、ヘッドレスト表皮Ｃの表皮下部６０における各表皮蓋部６２,６３,６４,６５を外側へ捲って形成された開口６６を介して、ヘッドレストコアＢを、その上部から該ヘッドレスト表皮Ｃ内に収容する。ヘッドレスト表皮Ｃ内に収容されたヘッドレストコアＢは、その下部が開口６６に臨み、各ステー固定手段Ｖ,Ｖの環状壁部５１が該開口６６に臨んでいる。そして、図５に示すように、各表皮蓋部６２,６３,６４,６５を元に戻すことで、第２表皮蓋部６３に開設された前記ステー挿通孔６７,６７が、各ステー固定手段Ｖ,Ｖの環状壁部５１に対して挿入経路Ｌの方向で一致する。
【００３０】
次に、図５に示すように、各支持ステーＳ,Ｓを、取付部１１側の上端１６から、ヘッドレスト表皮Ｃの第２表皮蓋部６３に設けたステー挿通孔６７へ挿通させる。そして、取付部１１がステー挿通孔６７に挿通した状態で、支持ステーＳの上端１６をステー固定手段Ｖにおける環状壁部５１の下側のステー挿通口に整合させ、該支持ステーＳの取付部１１を前記挿入経路Ｌに沿って押し込む。これにより、取付部１１は環状壁部５１に沿って挿通され、支持ステーＳの上端１６が突ピン４１に接触する。支持ステーＳに接触した突ピン４１は、前方へ押されることで舌片部４３が弾性変位し、該突ピン４１は、挿入経路Ｌにおける取付部１１の通過領域から待避する。従って取付部１１は、突ピン４１に接触しながら当接部３０の環状部３２内へ突入して、支持ステーＳの上端１６が当接片部３１に当接する。
【００３１】
そして、取付部１１の周方向において該支持ステーＳの角度が適切であると、支持ステーＳの上端１６が当接部３０の当接片部３１に当接すると同時に突ピン４１が貫通孔１５と整合し、舌片部４３の弾性復帰により該突ピン４１は貫通孔１５内へ突入して、該突ピン４１と貫通孔１５とが係合する。なお、支持ステーＳの周方向の角度が不適切な場合には、該支持ステーＳの取付部１１の周方向に適宜回転させることで、角度が適切となった際に突ピン４１と貫通孔１５とが係合する。
【００３２】
従って、支持ステーＳの上端１６が当接部３０の当接片部３１に当接することで、ヘッドレストコアＢに対する支持ステーＳの上下方向の位置決めが図られる。また、支持ステーＳの貫通孔１５に突ピン４１が突入して係合することで、ヘッドレストコアＢに対する支持ステーＳの軸方向の位置決めが図られると共に、該支持ステーＳの周方向への回転規制および軸方向への抜脱規制(抜け止め)が図られる。更に、当接部３０の環状部３２および保持部５０の環状壁部５１により、ヘッドレストコアＢに対する支持ステーＳの径方向への変位が規制される。
【００３３】
ヘッドレストコアＢに対する各支持ステーＳの固定が完了したら、図６に示すように、ヘッドレスト表皮Ｃ、ヘッドレストコアＢおよび支持ステーＳを発泡成形型８０にセットし、ヘッドレスト表皮ＣとヘッドレストコアＢとの間に発泡原料を注入して緩衝材Ｕを発泡成形する。このとき、各支持ステーＳにおける上端近傍部分は、前述したように、当接部３０の当接片部３１および環状部３２で覆われると共に該当接部３０に接触しているので、成形中の緩衝材Ｕが当接部３０と支持ステーＳ(取付部１１)との間へ入り込んで上端１６側へ侵入することが好適に防止される。
【００３４】
従って、実施例のヘッドレストＨＲによれば、次のような作用効果を奏する。
(１)支持ステーＳの取付部１１を、ヘッドレスト表皮Ｃのステー挿通孔６７に臨むステー固定手段Ｖへ挿入して、該支持ステーＳをヘッドレストコアＢに固定する形態となっているので、ヘッドレストコアＢに対する支持ステーＳの取付作業の簡易化および迅速化を可能とする。
(２)ステー固定手段ＶによりヘッドレストコアＢに固定された支持ステーＳは、保持部５０により径方向への移動が規制され、突ピン４１は貫通孔１５との係合により周方向への回転が規制されると共に軸方向への抜脱が規制され、かつ当接部３０により軸方向に位置決めされ、ヘッドレストコアＢに対して該支持ステーＳが適切な位置で固定されるようにし得る。
(３)当接部３０が、当接片部３１および環状部３２からなり、支持ステーＳの上端１６を緩衝材Ｕから被覆するようになっており、成形時に該緩衝材Ｕが上端１６から支持ステーＳ内部へ侵入することを防止し得る。
(４)保持部５０が、挿入経路Ｌに沿って延在する環状壁部５１を備えているので、支持ステーＳを該環状壁部５１に沿って挿入することで、該支持ステーＳが適切に挿入することを可能とする。
(５)２本の棒状の支持ステーＳ,Ｓから構成しても、図８に示した従来の支持ステーＳにおける横連結部１２１がないので、ヘッドレストＨＲの軽量化を図り得る。
【００３５】
また、実施例のヘッドレストＨＲの製造方法によれば、次のような作用効果を奏する。
(１)ヘッドレストコアＢに設けたステー固定手段Ｖにおける環状壁部５１が、ヘッドレスト表皮Ｃ内に該ヘッドレストコアＢを収容した際に該ヘッドレスト表皮Ｃに開設したステー挿通孔６７に整合するように位置するため、ヘッドレストコアＢに対する支持ステーＳの固定作業が、簡易かつ迅速に行なわれる。すなわち支持ステーＳは、ステー挿通孔６７に挿通させた後に、環状壁部５１から挿入経路Ｌに沿って押し込むだけで、ステー固定手段Ｖを介してヘッドレストコアＢに固定されるため、手探りにより支持ステーＳをヘッドレストコアＢに固定する必要がない。
(２)支持ステーＳを適正位置まで押し込むことで、支持ステーＳの上端１６が当接部３０に当接し、支持ステーＳの貫通孔１５に突ピン４１が突入して係合すると共に、支持ステーＳの取付部１１が保持部５０で保持されるため、支持ステーＳをヘッドレストコアＢに対して簡易に位置決めして固定することが可能となる。
【００３６】
(変更例)
実施例のヘッドレストＨＲは、前記実施例に示した形態に限定されず、様々に変更することが可能である。
(１)当接部３０は、図７(ｂ)に示すように、当接片部３１のみで形成するようにしてもよい。また、当接片部３１の突出高さは、支持ステーＳの取付部１１の外径より小さくてもよい。
(２)支持ステーＳの取付部１１に設けた係合部１４は、該取付部１１の外周部に凹設した穴部であればよく、図７(ａ)に示すように、有底の凹部(切欠き)１７であってもよい。
(３)環状壁部５１は、図７(ｂ)に示すように、挿入経路Ｌを挟んで対向する一対の保持片５２,５２から構成して、両保持片５２,５２により支持ステーＳの取付部１１を抱持する形態であってもよい。なお、この形態では、両保持片５２,５２の挿入経路Ｌと直交する方向における先端間の間隔は、取付部１１の外径より小さくなっている。
(４)位置決め部４０をなす突状部は、実施例で示した円錐状の突ピン４１に限定されず、支持ステーＳの係合部１４に係合し得るものであれば、角錐やリブ状片等であってもよい。
(５)位置決め部４０をなす突ピン４１は、図７(ｃ)に示すように、保持部５０の環状壁部５１に設けてもよい。この形態では、支持ステーＳに設けられる係合部１４の貫通孔１５は、突ピン４１の位置に合わせて適宜変更される。
(６)位置決め部４０をなす突ピン４１は、各ステー固定手段Ｖにおいて複数設けてもよい。また、突ピン４１の配設位置は、当接部３０と環状壁部５１との間にだけでなく、環状壁部５１より挿入経路Ｌにおいて下方に設けてもよい。
(７)支持ステーＳは、棒状であればよく、中間屈曲部１０を有さない真直形態であってもよい。
【符号の説明】
【００３７】
１４ 係合部，１５ 挿通孔(穴部)，１６ 上端，１７ 凹部(穴部)，３０ 当接部
３１ 当接片部，３２ 環状部，４０ 位置決め部，４１ 突ピン(突状部)，５０ 保持部
５１ 環状壁部(案内壁部)，６２ 第１表皮蓋部，６３ 第２表皮蓋部，６４ 第３表皮蓋部
６５ 第４表皮蓋部，６６ 開口，６７ ステー挿通孔，Ｂ ヘッドレストコア
Ｃ ヘッドレスト表皮，Ｈ 取付手段，ＨＲ ヘッドレスト，Ｌ 挿入経路，Ｕ 緩衝材
Ｓ 支持ステー，Ｖ ステー固定手段(固定手段)
【図１】
2010269089.tif 000003
【図２】
2010269089.tif 000004
【図３】
2010269089.tif 000005
【図４】
2010269089.tif 000006
【図５】
2010269089.tif 000007
【図６】
2010269089.tif 000008
【図７】
2010269089.tif 000009
【図８】
2010269089.tif 000010
【図９】
2010269089.tif 000011